(57)【要約】  リソース割当決定部は、MTC端末向けのPDSCHのためのリソースを決定し、送信部は、決定されたリソースを示すリソース割当ビットを含むMTC端末向けのPDCCHであるMPDCCHを送信し、決定されたリソースを用いてPDSCHを送信する。上記リソース割当ビットには、MPDCCHとPDSCHとが同一サブフレームで送信される場合に用いられるリソースと、MPDCCHとPDSCHとが異なるサブフレームで送信される場合に用いられるリソースと、が対応付けられている。
2017026089.tif 000002
【特許請求の範囲】
【請求項１】
MTC端末向けのPDSCH（Physical Downlink Shared Channel）のためのリソースを決定する決定部と、
前記決定されたリソースを示すリソース割当ビットを含むMTC端末向けのPDCCH（Physical Downlink Control Channel）であるMPDCCHを送信し、前記決定されたリソースを用いて前記PDSCHを送信する送信部と、
を具備し、
前記リソース割当ビットには、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている、
基地局。
【請求項２】
前記送信部は、更に、前記MPDCCHと前記PDSCHとが同一サブフレームで送信されるか、異なるサブフレームで送信されるかを示す制御情報を送信する、
請求項１に記載の基地局。
【請求項３】
前記リソース割当ビットの同一値に対して、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている、
請求項１に記載の基地局。
【請求項４】
前記MPDCCHと前記PDSCHとが同一サブフレームで送信される場合に、前記MPDCCHが配置されたリソース以外の残りのリソースの数が前記リソース割当ビットの数以下の場合、前記リソース割当ビットは、各ビットが前記残りのリソースの各々の割当の有無を示すビットマップ型の情報である、
請求項１に記載の基地局。
【請求項５】
前記リソース割当ビットは、前記MPDCCHと前記PDSCHとが同一サブフレームで送信される場合に用いられるリソースに対応付けられたビットと、前記MPDCCHと前記PDSCHとが異なるサブフレームで送信される場合に用いられるリソースに対応付けられたビットと、を含む、
請求項１に記載の基地局。
【請求項６】
前記リソース割当ビットのビット数は、前記MPDCCHと前記PDSCHとが異なるサブフレームで送信される場合に割当対象となるリソース数と同数であり、
前記リソース割当ビットのうち、前記MPDCCHと前記PDSCHとが同一のサブフレームで送信される場合に前記決定されたリソースを示すビット以外の残りのビットは、当該サブフレームにおいて前記MPDCCHと前記PDSCHとに同一のプリコーディングが適用されるか否かを示す、
請求項１に記載の基地局。
【請求項７】
MTC端末向けのPDSCH（Physical Downlink Shared Channel）に対して割り当てられたリソースを示すリソース割当ビットを含むMTC端末向けのPDCCH（Physical Downlink Control Channel）であるMPDCCHを受信する受信部と、
前記リソース割当ビットに示されたリソースを用いて、受信信号から前記PDSCHを分離する信号分離部と、
を具備し、
前記リソース割当ビットには、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている、
端末。
【請求項８】
MTC端末向けのPDSCH（Physical Downlink Shared Channel）のためのリソースを決定し、
前記決定されたリソースを示すリソース割当ビットを含むMTC端末向けのPDCCH（Physical Downlink Control Channel）であるMPDCCHを送信し、前記決定されたリソースを用いて前記PDSCHを送信し、
前記リソース割当ビットには、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている、
送信方法。
【請求項９】
MTC端末向けのPDSCH（Physical Downlink Shared Channel）に対して割り当てられたリソースを示すリソース割当ビットを含むMTC端末向けのPDCCH（Physical Downlink Control Channel）であるMPDCCHを受信し、
前記リソース割当ビットに示されたリソースを用いて、受信信号から前記PDSCHを分離し、
前記リソース割当ビットには、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている、
受信方法。
【発明の詳細な説明】
【技術分野】
【０００１】
本開示は、基地局、端末、送信方法及び受信方法に関する。
【背景技術】
【０００２】
近年、セルラネットワークを使用したMachine-Type Communications（MTC）が検討されている（例えば、非特許文献１を参照）。MTCの用途には、スマートメータの自動検針、在庫管理、位置情報を利用した物流管理、ペット・家畜管理、またはモバイル決裁等が考えられている。MTCでは、MTCに対応する端末（MTC端末）とネットワークとが接続することが想定されている。MTC端末は大量に配置されるが、１つ１つのMTC端末のトラフィック量はそれほど多くないことが予想されている。そのため、MTC端末は低コスト、低消費電力であることが望まれる。また、MTC端末を電波が届きにくいビルの地下などに配置することも考えられるので、カバレッジの拡張も求められている。【０００３】
3GPPで標準化されているLTE-Advancedの拡張では、MTC端末の低コスト実現のため、MTC端末が通信に使用するリソースを、システム帯域にかかわらず、６つのPRB（Physical resource block）以下に限定することが検討されている。システム帯域が６つのPRBよりも広い場合、MTC端末はシステム帯域の一部のみを受信して送受信する。送受信に使用するPRBはretuningにより変更できる。この６つのPRB以下のリソースを「Narrowband」と呼ぶ。Narrowbandは連続するPRBで構成することが定められている。【０００４】
また、MTC端末用の制御信号として、EPDCCH（Enhanced Physical Downlink Control CHannel）をMTC用に拡張したMPDCCH（PDCCH for MTC）を用いることが検討されている。MPDCCHはNarrowbandに配置される。MTC端末は、MPDCCHをブラインド復号して自端末宛ての制御信号を検出し、DL（Downlink）のリソース割当、又は、UL（Uplink）のリソース割当を受信し、リソース割当に従ってDLデータの受信又はULデータの送信を行う。【０００５】
LTEには、DLのリソース割当方法として、Type 0，Type 1, Type 2の３種類の割当方法がある。それぞれの割当方法では、リソース割当パターンに制限を設けて、割り当てに必要となるビット数を削減している。したがって、全てのリソース割当パターンを完全に網羅している割当方法はない。Type 0及びType 1では、１つの RBG（Resource Block Group）を構成するRB数を示すRBGサイズを用いて、PRBを端末に割り当てる。ここで、RBGサイズは、システム帯域に含まれるRB数に応じて定められる。RBGは、RBGサイズと同数の連続するPRBを、帯域の端から区切ることにより得られるリソースである。Type0では、RBG単位でリソースが割り当てられる。Type 1では、それぞれのRBGを構成する複数のRBは、いずれかのサブセットに所属する。サブセットの数はRBGサイズと同一である。Type 1のリソース割当では、まずサブセットが選択され、選択されたサブセットに属するRBG内のPRBに対してPRB毎にリソースが割り当てられる。Type 2では、RBGの定義は使用せず、VRB（Virtual Resource Block）上で連続するリソースが割り当てられる。VRBはPRBにマッピングされる際に、分散して配置されるdistributed VRB、及び、局所的に配置されるlocalized VRBの二種類がある。
【先行技術文献】
【非特許文献】
【０００６】
【非特許文献１】3GPP TR 36.888 V12.0.0, “Machine-Type Communications (MTC) User Equipments (UEs) based on LTE (Release 12),” June 2013.
【発明の概要】
【０００７】
Narrowbandを受信するMTC端末へのリソース割当では、従来端末へのリソース割当とは異なり、システム帯域内のNarrowbandの特定及びNarrowband内のPRBの特定の２段階のリソースの特定が必要となる。これらのリソースを特定するための情報は、DCI（Downlink control information）に含まれ、MPDCCHに配置されることが予想される。更に、MTC端末へのDLの割り当てでは、下記の２つのケースが検討されている。すなわち、１つのケースでは、リソースの割り当てを指定するDLリソース割当用制御信号（DL assignment）が配置されるMPDCCHと、当該DLリソース割当用制御信号によって割り当てられるDLデータ（PDSCH：Physical Downlink Shared CHannel。MPDSCHと呼ばれることもある）とが同一サブフレームに配置される（same subframe schedulingと称することもある）。もう一方のケースでは、異なるサブフレームに配置される（cross subframe schedulingと称することもある）。
【０００８】
しかしながら、これらのケースについてリソース割当のための情報をどのようにしてDCIに含めるかについては十分に検討されていない。
【０００９】
本開示の一態様は、MTC端末へのリソース割当を行う場合に、DCIを用いてリソース割当のための情報を効率良く通知することができる基地局、端末、送信方法及び受信方法を提供することである。
【００１０】
本開示の一態様に係る基地局は、MTC端末向けのPDSCH（Physical Downlink Shared Channel）のためのリソースを決定する決定部と、前記決定されたリソースを示すリソース割当ビットを含むMTC端末向けのPDCCH（Physical Downlink Control Channel）であるMPDCCHを送信し、前記決定されたリソースを用いて前記PDSCHを送信する送信部と、を具備し、前記リソース割当ビットには、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている。
【００１１】
本開示の一態様に係る端末は、MTC端末向けのPDSCH（Physical Downlink Shared Channel）に対して割り当てられたリソースを示すリソース割当ビットを含むMTC端末向けのPDCCH（Physical Downlink Control Channel）であるMPDCCHを受信する受信部と、前記リソース割当ビットに示されたリソースを用いて、受信信号から前記PDSCHを分離する信号分離部と、を具備し、前記リソース割当ビットには、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている。
【００１２】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【００１３】
本開示の一態様によれば、MTC端末へのリソース割当を行う場合に、DCIを用いてリソース割当のための情報を効率良く通知することができる。
【００１４】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１５】
【図１】基地局の要部構成を示すブロック図
【図２】端末の要部構成を示すブロック図
【図３】基地局の構成を示すブロック図
【図４】端末の構成を示すブロック図
【図５】実施の形態１に係るcross subframe scheduling時のPDSCHリソース割当の一例を示す図
【図６】実施の形態１に係るsame subframe scheduling時のPDSCHリソース割当の一例を示す図
【図７】実施の形態１のバリエーションに係るsame subframe scheduling時のPDSCHリソース割当の一例を示す図
【図８】実施の形態１のバリエーションに係るsame subframe scheduling時のPDSCHリソース割当の一例を示す図
【図９】実施の形態１のバリエーションに係るcross subframe scheduling時のPDSCHリソース割当の一例を示す図
【図１０】実施の形態２に係るPDSCHリソース割当の一例を示す図
【図１１】実施の形態２のバリエーションに係るsame subframe scheduling時のPDSCHリソース割当の一例を示す図
【図１２】実施の形態２のバリエーションに係るsame subframe scheduling時のPDSCHリソース割当の一例を示す図
【図１３】実施の形態２のバリエーションに係るsame subframe scheduling時のPDSCHリソース割当の一例を示す図
【図１４】実施の形態２のバリエーションに係るsame subframe scheduling時のPDSCHリソース割当の一例を示す図
【図１５】実施の形態３に係るcross subframe scheduling時の４ビットのPDSCHリソース割当の一例を示す図
【図１６】実施の形態３に係るcross subframe scheduling時の４ビットのPDSCHリソース割当の一例を示す図
【図１７】実施の形態３に係るsame subframe scheduling時の４ビットのPDSCHリソース割当の一例を示す図
【図１８】実施の形態３に係るsame subframe scheduling時の４ビットのPDSCHリソース割当の一例を示す図
【図１９】実施の形態３に係るcross subframe scheduling時の３ビットのPDSCHリソース割当の一例を示す図
【図２０】実施の形態３に係るcross subframe scheduling時の３ビットのPDSCHリソース割当の一例を示す図
【図２１】実施の形態３に係るsame subframe scheduling時の３ビットのPDSCHリソース割当の一例を示す図
【図２２】実施の形態３に係るsame subframe scheduling時の３ビットのPDSCHリソース割当の一例を示す図
【図２３】実施の形態３に係るsame subframe scheduling時の３ビットのPDSCHリソース割当の一例を示す図
【図２４】実施の形態３に係るsame subframe scheduling時の３ビットのPDSCHリソース割当の一例を示す図
【図２５】実施の形態４に係るPRB bundlingの一例を示す図
【図２６】実施の形態４に係るMTC端末の処理の流れを示すフローチャートを示す図
【図２７】実施の形態４に係るNarrowband割当情報の一例を示す図
【図２８】same subframe scheduling時の４ビットのPDSCHリソース割当の一例を示す図
【発明を実施するための形態】
【００１６】
以下、本開示の実施の形態について図面を参照して詳細に説明する。
【００１７】
［通信システムの概要］
本開示の各実施の形態に係る通信システムは、例えば、LTE-Advancedシステムに対応する基地局１００及び端末２００を備える。端末２００は、例えば、MTC端末である。
【００１８】
図１は本開示の実施の形態に係る基地局１００の要部構成を示すブロック図である。図１に示す基地局１００において、リソース割当決定部１０１は、MTC端末向けのPDSCHのためのリソースを決定する。送信部１０６は、決定されたリソースを示すリソース割当ビット（RIV）を含むMTC端末向けのPDCCHであるMPDCCHを送信し、決定されたリソースを用いてPDSCHを送信する。
【００１９】
また、図２は、本開示の各実施の形態に係る端末２００の要部構成を示すブロック図である。図２に示す端末２００において、MPDCCH受信部２０３は、MTC端末向けのPDSCHに対して割り当てられたリソースを示すリソース割当ビット（RIV）を含むMTC端末向けのPDCCHであるMPDCCHを受信する。そして、信号分離部２０２は、リソース割当ビットにより示されたリソースを用いて、受信信号からPDSCHを分離する。
【００２０】
ここで、リソース割当ビット（RIV）には、MPDCCHとPDSCHとが同一サブフレームで送信される場合（same subframe scheduling）に用いられるリソースと、MPDCCHとPDSCHとが異なるサブフレームで送信される場合（cross subframe scheduling）に用いられるリソースと、が対応付けられている。
【００２１】
（実施の形態１）
［基地局の構成］
図３は、本実施の形態に係る基地局１００の構成を示すブロック図である。図３において、基地局１００は、リソース割当決定部１０１と、MPDCCH生成部１０２と、誤り訂正符号化部１０３と、変調部１０４と、信号割当部１０５と、送信部１０６と、受信部１０７と、復調部１０８と、誤り訂正復号部１０９と、を有する。
【００２２】
リソース割当決定部１０１は、MTC端末向けのPDSCHに対するDLリソースを決定する。具体的には、リソース割当決定部１０１は、MTC端末向けのDLリソース（PDSCH）を、当該DLリソースの割当情報を配置するMPDCCHと同一サブフレームに配置するか（same subframe scheduling）、異なるサブフレームに配置するか（cross subframe scheduling）を決定する。また、リソース割当決定部１０１は、PDSCHをどのPRBに割り当てるかを決定する。リソース割当決定部１０１は、決定したリソースを示すリソース割当情報を、MPDCCH生成部１０２及び信号割当部１０５へ出力する。
【００２３】
MPDCCH生成部１０２は、リソース割当決定部１０１から受け取るリソース割当情報に基づいて、DCIを生成する。その際、MPDCCH生成部１０２は、MTC端末向けのDLリソース（PDSCH）を、DLリソース割当用制御信号を配置するMPDCCHと同一サブフレームに割り当てる場合（same subframe scheduling）と、MTC端末向けのDLリソース（PDSCH）を、DLリソース割当用制御信号を配置するMPDCCHと異なるサブフレームに割り当てる場合（cross subframe scheduling）とで、PRBへのリソース割当を示すリソース割当ビット（RIV：Resource Indication Value）の生成方法を異ならせる。具体的には、MPDCCH生成部１０２は、same subframe schedulingの場合、Narrowband内のPRBのうち、MPDCCHが配置されるPRBを除外して、残りのPRBを対象とするリソース割当ビットを生成する。一方、MPDCCH生成部１０２は、cross subframe schedulingの場合、Narrowband内の全てのPRBを対象とするリソース割当ビットを生成する。MPDCCH生成部１０２は、生成したリソース割当ビット（DLリソース割当用制御信号）を含むDCIを生成し、DCIを含む制御信号（MPDCCH）を信号割当部１０５へ出力する。
【００２４】
誤り訂正符号化部１０３は、送信データ信号（DLデータ信号）を誤り訂正符号化し、符号化後のデータ信号を変調部１０４へ出力する。
【００２５】
変調部１０４は、誤り訂正符号化部１０３から受け取る信号に対して変調処理を施し、変調後のデータ信号を信号割当部１０５へ出力する。
【００２６】
信号割当部１０５は、リソース割当決定部１０１から受け取るリソース割当情報に基づいて、変調部１０４から受け取るデータ信号（PDSCH）、及び、MPDCCH生成部１０２から受け取る制御信号（MPDCCH）を、所定のリソースに割り当てる。制御信号（MPDCCH）及びデータ信号（PDSCH）が所定のリソースに割り当てられることにより、送信信号が形成される。形成された送信信号は、送信部１０６へ出力される。
【００２７】
送信部１０６は、信号割当部１０５から入力される送信信号に対してアップコンバート等の無線送信処理を施し、アンテナを介して端末２００へ送信する。
【００２８】
受信部１０７は、端末２００から送信された信号をアンテナを介して受信し、受信信号に対してダウンコンバート等の無線受信処理を施し、復調部１０８へ出力する。
【００２９】
復調部１０８は、受信部１０７から入力される信号に対して復調処理を施し、得られた信号を誤り訂正復号部１０９へ出力する。
【００３０】
誤り訂正復号部１０９は、復調部１０８から入力される信号を復号し、端末２００からの受信データ信号を得る。
【００３１】
［端末の構成］
図４は、本実施の形態に係る端末２００の構成を示すブロック図である。図４において、端末２００は、受信部２０１と、信号分離部２０２と、MPDCCH受信部２０３と、割当情報決定部２０４と、復調部２０５と、誤り訂正復号部２０６と、誤り訂正符号化部２０７と、変調部２０８と、送信部２０９と、を有する。
【００３２】
受信部２０１は、予め定められているパターンに基づいて、システム帯域内のどのNarrowbandに信号が割り当てられているかを特定し、特定したNarrowbandにretuningする。そして、受信部２０１は、受信信号をアンテナを介して受信し、受信信号に対してダウンコンバート等の受信処理を施した後に信号分離部２０２へ出力する。
【００３３】
信号分離部２０２は、MPDCCHが割り当てられる可能性のあるPRBに配置された信号（MPDCCH信号）をMPDCCH受信部２０３へ出力する。また、信号分離部２０２は、割当情報決定部２０４から入力されるDLのリソース割当情報に基づいて、受信信号からDLデータ信号及び上位レイヤシグナリングを分離し、復調部へ出力する。
【００３４】
MPDCCH受信部２０３は、信号分離部２０２から受け取るMPDCCH信号のサーチスペースに対してブラインド復号し、自端末宛ての信号として検出されたDLリソース割当用制御信号を含む制御信号（DCI）を割当情報決定部２０４へ出力する。
【００３５】
割当情報決定部２０４は、MPDCCH受信部２０３から入力されるDCIを解析し、MTC端末向けのDLリソース（PDSCH）が、DLリソース割当用制御信号を配置するMPDCCHと同一サブフレームに割り当てられているか、異なるサブフレームに割り当てられているかを判断する。また、割当情報決定部２０４は、DLリソース(PDSCH)が、DLリソース割当用制御信号を配置するMPDCCHと同一サブフレームに割り当てられている場合、Narrowband内のPRBのうち、MPDCCHが配置されるPRBを除外して、残りのPRBを対象としてリソースが割り当てられていると判断する。一方、割当情報決定部２０４は、DLリソース(PDSCH)が、DLリソース割当用制御信号を配置するMPDCCHと異なるサブフレームに割り当てられている場合、Narrowband内の全てのPRBを対象としてリソースが割り当てられていると判断する。そして、割当情報決定部２０４は、DCIに含まれるリソース割当ビット（RIV）に基づいてPDSCHに割り当てられたリソースを特定する。割当情報決定部２０４は、自端末に割り当てられたDLのリソースを示す割当情報を信号分離部２０２へ出力する。
【００３６】
復調部２０５は、信号分離部２０２から受け取る信号を復調し、復調後の信号を誤り訂正復号部２０６へ出力する。
【００３７】
誤り訂正復号部２０６は、復調部２０５から受け取る復調信号を復号し、得られた受信データ信号を出力する。
【００３８】
誤り訂正符号化部２０７は、送信データ信号（ULデータ信号）を誤り訂正符号化し、符号化後のデータ信号を変調部２０８へ出力する。
【００３９】
変調部２０８は、誤り訂正符号化部２０７から受け取るデータ信号を変調し、変調後のデータ信号を送信部２０９へ出力する。
【００４０】
送信部２０９は、予め定められているパターンに基づいて、ULデータを割り当てるNarrowbandに対応するリソースを特定し、retuningする。そして、送信部２０９は、変調部２０８から入力される信号に対してアップコンバート等の送信処理を施し、特定したリソースを用いて送信する。
【００４１】
［基地局１００及び端末２００の動作］
以上の構成を有する基地局１００及び端末２００における動作について詳細に説明する。
【００４２】
以下の説明では、DLリソース割当用制御信号が配置されるMPDCCHと、当該DLリソース割当用制御信号によって割り当てられるDLデータ(PDSCH)とが同一サブフレームに配置されているか、異なるサブフレームに配置されているかを示す１ビットの制御情報がDCIに含まれるものとする。そして、この１ビットの制御情報を含むDCIが、基地局１００から端末２００へ送信される。
【００４３】
また、Narrowbandを6PRBとし、Narrowband内のPRBの割当を通知するためのリソース割当ビットであるRIVが５ビットからなると仮定する。このRIVの５ビットは、既存のLTEにおいてDCI foramt1AでサポートされているType2割当で帯域幅が6PRBsのリソースを割り当てる場合と等しい。ただし、LTEのType2割当では、Localized割当かDistributed割当かを示す１ビットがDCIに含まれるが、ここでは、DCIのビット数を削減するために、Localized割当に限定し、Localized割当かDistributed割当かを示す１ビットは省略する。
【００４４】
また、以下では、MPDCCHとPDSCHとが同一サブフレームに配置される場合、MTC端末に対して、MPDCCH及びPDSCHのSingle User MIMOが適用されないと仮定する。
【００４５】
MPDCCHとPDSCHとが異なるサブフレームに配置される場合（cross subframe scheduling）、基地局１００（MPDCCH生成部１０２）は、Narrowband内の6PRBsの全てを対象とするRIVを生成する。すなわち、MPDCCHとPDSCHとが異なるサブフレームに配置される場合、PDSCHはNarrowband内の6PRBsのどのPRBにも配置される可能性がある。
【００４６】
図５は、Type2 Localized割当における、RIVとPRBのリソース割当との関係の一例を示す図である。
【００４７】
図５では、Narrowband中のPRBをPRB#0〜#5とする。また、図５において、RB_startはPRB#0を基準とした割当リソースの開始位置を示し、L_CRBは割当リソースのサイズ（PRB数）を示す。例えば、RB_start及びL_CRBを含むパラメータによってRIVの値が算出される。また、RIV（リソース割当ビット）が５ビットからなる場合には、RIVは0〜31（ビット表記00000〜11111）までの値表すことができるが、Type2 Localized割当では、図５に示すように、RIV=0〜20に対してのみ、PDSCHのリソース割当が定義されている。
【００４８】
一方、MPDCCHとPDSCHとが同一サブフレームに配置される場合（same subframe scheduling）、MTC端末に対するDLリソース割当用制御信号を含むMPDCCHが配置されるPRBには、PDSCHは配置されない。したがって、MPDCCHが配置されるPRBを、PDSCHの割当から除くことができる。
【００４９】
そこで、MPDCCHとPDSCHとが同一サブフレームに配置される場合、基地局１００（MPDCCH生成部１０２）は、Narrowband内の6PRBsのうち、MPDCCHが配置されるPRBを除外して、残りのPRBを対象とするRIVを生成する。ここで、MPDCCHは少なくとも1PRBには配置されるので、Narrowband内の6PRBsのうち、PDSCHを割り当てるPRBは最大で5PRBとなる。したがって、基地局１００は、RIVの５ビットを用いて、5PRBの中のPDSCHの割り当てをビットマップによって端末２００に通知することができる。すなわち、PDSCHの全ての割当パターンが通知可能となる。
【００５０】
図６は、MPDCCHとPDSCHとが同一サブフレームに配置される場合における、RIVとPRBのリソース割当との関係の一例を示す図である。
【００５１】
図６では、Narrowband中のPRBをPRB#0〜#5とする。また、図６では、PRB#3にMTC端末用のDLリソース割当用制御信号を含むMPDCCHが配置されている場合のPDSCHのリソース割当を一例として示す。
【００５２】
すなわち、図６に示すように、PRB#3にはMPDCCHが配置されているので、PRB#3はPDSCHのリソース割当対象から除外され、残りのPRB#0,1,2,4,5がPDSCHのリソース割当対象となる。
【００５３】
例えば、RIVの５ビットの各々がPDSCHのリソース割当対象となる5PRBの各々の割当の有無を示してもよい。図６では、ビット表記で00000がRIV=0を示し、11111がRIV=31を示す。この場合、RIVの下位ビットからPRB番号の小さいPRB#に対応し、ビットの値が1の場合には対応するPRBのリソース割当があることを示し、ビットの値が0の場合には対応するPRBのリソース割当が無いことを示す。すなわち、図６の例では、RIVの５ビットは、下位ビットから順に、PRB#0,1,2,4,5のリソース割当の有無を示す。例えば、図6に示すRIV=11はビット表記では01011となり、PRB#0、PRB#1、PRB#4にリソースが割り当てられることを示す。他のRIVの値についても同様である。
【００５４】
図６に示すように、PDSCHに対してリソースが割り当てられる可能性のある5PRBsに対して、５ビットのビットマップでリソースが割り当てられると、全ての割当パターンを網羅することができるので、リソース割当の柔軟性が向上する。これにより、基地局１００は、Narrowband中のPRBが他の端末に割り当てる場合でも、端末２００に対してそのPRBを使用しない等のリソース割当を柔軟に選択できる。
【００５５】
なお、図６に示すようにRIV=0（ビット表記00000）は、割り当てるリソースがないので、割り当てには使用されない。また、図６では、PRB#3にMPDCCHが配置される例を示したが、MPDCCHが配置されるPRBは他のPRBでもよい。すなわち、MPDCCHが配置されるPRBを除いた残りのPRBと、RIVによって表されるビットマップとが対応すればよい。
【００５６】
一方、端末２００（MPDCCH受信部２０３）は、基地局１００から送信される信号から、MPDCCH信号を検出し、DLリソース割当用制御信号を含む制御信号（DCI）を得る。端末２００（割当情報決定部２０４）は、DCIに含まれる情報に基づいて、MPDCCHとPDSCHとが同一サブフレームに配置されるか、異なるサブフレームに配置されるかを特定する。そして、端末２００は、MPDCCHとPDSCHとが同一サブフレームに配置されるか、異なるサブフレームに配置されるかに応じて、DCIに含まれるRIVの解釈を変えて、PDSCHのリソース割当を特定する。
【００５７】
例えば、MPDCCHとPDSCHとが異なるサブフレームに配置される場合、端末２００は、図５に示すような、Narrowband内の6PRBsの全てを対象とするRIVに基づいて、リソースが割り当てられたPRBを特定する。一方、MPDCCHとPDSCHとが同一サブフレームに配置される場合、端末２００は、図６に示すような、Narrowband内の6PRBsのうち、MPDCCHが配置されるPRBを除外して、残りのPRBを対象とするRIVに基づいて、リソースが割り当てられたPRBを特定する。
【００５８】
なお、MPDCCHはEPDCCHをNarrowband用に拡張したものと仮定すると、MTC端末が、検出するMPDCCHのアグリゲーションレベルを間違う可能性は低い。アグリゲーションレベルとは、MPDCCHのリソース量を表す単位であり、EPDCCHの場合、アグリゲーションレベルに応じてEPDCCHを構成するECCE（Enhanced Control Channel Element）の数が異なる。MTC端末においてMPDCCHが正しいアグリゲーションレベルで検出されると、基地局１００とMTC端末との間で、MPDCCHがどのPRBに配置されているかの認識が揃う。したがって、基地局１００がMPDCCHを配置したPRBにおいて、MTC端末がMPDCCHを検出するので、MTC端末はMPDCCHが配置されたPRBをリソース割当から正しく除外することができる。
【００５９】
図５及び図６に示すように、RIV（リソース割当ビット）には、MPDCCHとPDSCHとが同一サブフレームで送信される場合に用いられるリソースと、MPDCCHとPDSCHとが異なるサブフレームで送信される場合に用いられるリソースと、が対応付けられている。より具体的には、RIVの同一値に対して、MPDCCHとPDSCHとが同一サブフレームで送信される場合に用いられるリソースと、MPDCCHとPDSCHとが異なるサブフレームで送信される場合に用いられるリソースと、が対応付けられている。
【００６０】
また、基地局１００及び端末２００は、MPDCCH及びPDSCHが配置されるサブフレームの関係に応じて、DCI内のリソース割当ビット（RIV）の解釈を異ならせる。こうすることで、基地局１００は、端末２００に対して、RIVを用いて、MPDCCHとPDSCHとが同一サブフレームに配置されるケースと、異なるサブフレームに配置されるケースとにそれぞれ適したリソース割当を通知することができる。
【００６１】
また、本実施の形態では、MPDCCHとPDSCHとが同一サブフレームで送信される場合に、MPDCCHが配置されたPRB以外の残りのPRB数（図６では５ビット）がRIVのビット数（図６では５ビット）以下の場合、RIVは、各ビットが上記残りのPRBの各々の割当の有無を示すビットマップ型の情報である。こうすることで、同一サブフレームにMPDCCHとPDSCHが配置される場合には、PDSCHに対してビットマップによってリソース割当を行うことができるので、リソース割当の柔軟性が向上する。
【００６２】
以上のように、本実施の形態によれば、DCIを用いてリソース割当のための情報を効率良く通知することができる。
【００６３】
（バリエーション１）
図６では、NarrowbandにおいてMPDCCHが１つのPRBに配置される場合について説明した。これに対して、MPDCCHは２つ以上のPRBに配置される場合も想定される。そこで、バリエーション１では、一例として、MPDCCHが２つ又は４つのPRBに配置される場合について説明する。
【００６４】
図７は、MPDCCHが２つのPRB（PRB#0、PRB#3）に配置される場合のRIVとPDSCHのリソース割当との関係を示し、図８は、MPDCCHが４つのPRB（PRB#0、PRB#1、PRB#4、PRB#5）に配置される場合のRIVとPDSCHのリソース割当との関係を示す。なお、図７及び図８においてMPDCCHが配置されるPRBは、これらに限定されるものではない。
【００６５】
特に、MPDCCHのサーチスペースの設定がDistributed割当の場合には、アグリゲーションレベルが小さい場合でも、図７又は図８に示すように、MPDCCHは複数のPRBにまたがって配置されることが考えられる。
【００６６】
図７に示すように、MPDCCHが２つのPRBにまたがって配置される場合、MTC端末用のPDSCHは、残りの４PRBの何れかに割り当てられる可能性がある。したがって、RIVを用いて、４ビットのビットマップ（RIV＝0〜15。ただし、RIV＝0は割り当てに使用されない）によってPDSCHに対するリソースが割り当てられることにより、全ての割当パターンを網羅することができる。
【００６７】
また、図８に示すように、MPDCCHが４つのPRBにまたがって配置される場合、MTC端末用のPDSCHは、残りの２PRBの何れかに割り当てられる可能性がある。したがって、RIVを用いて、２ビットのビットマップ（RIV＝0〜4。ただし、RIV＝0は割り当てに使用されない）によってリソースが割り当てられることにより、全ての割当パターンを網羅することができる。
【００６８】
（バリエーション２）
上記実施の形態では、MTC端末用のPDSCHとMPDCCHとが異なるサブフレームに配置される場合、Type2 Localized割当（図５を参照）を使用する例を示した。しかし、MTC端末用のPDSCHとMPDCCHとが異なるサブフレームに配置される場合のPDSCHに対するリソース割当はType2 Locaized割当に限定さず、Narrowband内の6PRBsを割当対象とした他の割当方法が定義されてもよい。
【００６９】
Type2 Localized割当では、連続するPRBのみが割り当てられていたが、新たな割当方法として、連続しないPRBが割り当てられてもよい。また、既存のLTEシステムにおいて、Type2割当では、異なる周波数帯域間で共通の式を用いてRIVを定義していたので、帯域幅が6PRBsの場合でもRIV=0〜20のみを使用していた。これに対して、新たな割当方法として、帯域幅を6PRBsに特化したリソース割当を定義することにより、RIV＝0〜31の全てを使用してもよい。これにより、柔軟なリソース割当が可能となる。
【００７０】
図９は、MTC端末用のPDSCHとMPDCCHとが異なるサブフレームに配置される場合に使用されるリソース割当の一例を示す。
【００７１】
図９に示すPRB数（図５に示すL_CRBに相当）が1,5,6の場合は、全ての割当パターンを網羅している。一方、図９に示すPRB数が2，3，4の場合は、全ての割当パターンは網羅されていないが、Localized割当及びDistributed割当の両方が含まれている。
【００７２】
Localized割当は、連続するPRB間でアンテナのプリコーディングを同一に設定し、DMRS（Demodulation Reference Signal）の受信品質を向上させるPRB bundlingに適した割り当てである。また、Distributed割当は、Narrowband内で周波数ダイバーシチ効果が得られる割り当てである。
【００７３】
また、図９に示すリソース割当は下記の特徴を含んでいる。
【００７４】
（１）PRB数2のRIV＝6〜8，PRB数2のRIV＝9〜11，PRB数3のRIV＝15，16，PRB数3のRIV＝17，18の各々の組み合わせでは、それぞれ同時に割り当てることができるように重複しないPRBで構成されている。
【００７５】
（２）PRB数2のRIV＝6〜8では、RBGサイズが2の場合のRBG単位の割り当てと同じ割り当てができる。ただし、RBGとNarrowbandの配置の境目が異なる場合は、Narrowbandにおいて上記RBG単位の割り当てと同じ割り当てができるように、一部のRIVによるPRBの割り当てをRBGに合わせてNarrowband内でCyclic shiftさせた割り当てとしてもよい。
【００７６】
（３）PRB数3のRIV＝15〜16では、RBGサイズが3の場合のRBG単位の割り当てと同じ割り当てができる。ただし、RBGとNarrowbandの配置の境目が異なる場合は、Narrowbandにおいて上記RBG単位の割り当てと同じ割り当てができるように、RIVによるPRBの割り当てをRBGに合わせてNarrowband内でCyclic shiftさせた割り当てとしてもよい。
【００７７】
（４）PRB数4のRIV＝19〜21では、RBGサイズが4の場合のRBG単位の割り当てと同じ割り当てができる。ただし、RBGとNarrowbandの配置によって、どのRIVがRBG単位と同じ割り当てになるかは異なる。例えば、図９に示す例では、RIV＝19の割り当てがRBG単位の割り当てとなる。
【００７８】
（５）PRB数2のRIV＝12とPRB数4のRIV＝22の組み合わせ、PRB数2のRIV＝13とPRB数4のRIV＝23の組み合わせ、及び、PRB数2のRIV＝14とPRB数4のRIV＝21の組み合わせでは、それぞれ同時に割り当てることができるように重複しないPRBで構成されている。特に、PRB数2のRIV＝12とPRB数4のRIV＝22の組み合わせ、及び、PRB数2のRIV＝13とPRB数4のRIV＝23の組み合わせでは、それぞれの割り当ての端の間隔が4PRBsになっており、周波数ダイバーシチ効果が高い割り当てになっている。すなわち、これらは、PRB数2とPRB数4の割り当てが同時に使用される場合に、周波数ダイバーシチ効果を最大にする割り当てである。
【００７９】
（実施の形態２）
実施の形態１のように、DLリソース割当用制御信号が配置されるMPDCCHとDLデータ（PDSCH）とが同一のサブフレームに配置されるか、異なるサブフレームに配置されるかを示すビットをDCIに追加すると、DCI長が長くなってしまう。DCI長が長くなると、MTC端末において受信に必要となる受信電力が増加し、MTC端末のカバレッジが狭くなってしまう。したがって、MTC端末用のDCIは、MTC端末へのリソース割当に必要な情報を含みつつ、DCI長は短いことが求められる。
【００８０】
そこで、本実施の形態では、DCI長を削減する方法について説明する。
【００８１】
なお、本実施の形態に係る基地局及び端末は、実施の形態１に係る基地局１００及び端末２００と基本構成が共通するので、図３及び図４を援用して説明する。
【００８２】
本実施の形態では、DLリソース割当用制御信号が配置されるMPDCCHと、当該DLリソース割当用制御信号によって割り当てられるDLデータ(PDSCH)とが同一のサブフレームに配置されるか、異なるサブフレームに配置されるかを示す１ビットの制御情報はDCIに含まれず、５ビットのRIVによってリソース割当が通知される。
【００８３】
また、Narrowbandを6PRBとし、Narrowband内のPRBの割当を通知するためのリソース割当ビットであるRIVを５ビットと仮定する。
【００８４】
また、MPDCCHとPDSCHとが異なるサブフレームに配置される場合（cross subframe scheduling）のリソース割当は、実施の形態１と同様、LTEにおいてDCI format 1AでサポートされているType2割当で帯域幅が6PRBsのリソースを割り当てる場合と同様とする。なお、実施の形態１と同様、DCIのビット数を削減するために、Localized割当に限定し、Localized割当かDistributed割当かを示す１ビットは省略する（つまり、Type2 Localized割当）。
【００８５】
また、Type2 Localized割当では、RIVに対するPRBのリソース割当は、図５に示すようにRIV＝0〜20に対してのみ定義されているものとする。
【００８６】
本実施の形態では、基地局１００は、５ビットのRIVを用いたPDSCHに対するリソース割当の際、残りのRIV＝21〜31によって、MPDCCHとPDSCHとが同一のサブフレームに配置される場合（same subframe scheduling）のリソース割当を行う。端末２００は、基地局１００から通知されるRIVの値に基づいて、MPDCCHとPDSCHとが同一サブフレームに配置されているのか、異なるサブフレームに配置されているのかを判断する。
【００８７】
例えば、端末２００（MTC端末）は、subframe #0のMPDCCHでDLリソース割当用制御信号を検出し、当該DLリソース割当用制御信号に含まれるRIVが21〜31であれば、PDSCHが subframe #0に割り当てられていると認識し、RIVが0〜20であれば、予め規定されているsubframe #0以降のsubframeにPDSCHが割り当てられていると認識する。
【００８８】
つまり、本実施の形態に係るRIVは、MPDCCHとPDSCHとが同一サブフレームで送信される場合に用いられるリソースに対応付けられたビット（ここではRIV＝21〜31）と、MPDCCHとPDSCHとが異なるサブフレームで送信される場合に用いられるリソースに対応付けられたビット（ここではRIV＝0〜20）と、を含む。
【００８９】
図１０は、本実施の形態に係るRIVとPDSCHのリソース割当との関係の一例を示す。図１０では、MPDCCHとPDSCHとが同一サブフレームに配置される場合（same subframe scheduling）において、DLリソース割当用制御信号が1PRB（PRB#3）のMPDCCHに配置されている場合を示す。
【００９０】
図１０に示すように、RIV＝21〜31では、PRB#3にはMPDCCHが配置されているので、PRB#3はPDSCHのリソース割当対象から除外され、残りのPRB#0,1,2,4,5がPDSCHのリソース割当対象となる。
【００９１】
また、図１０に示すように、割当対象のPRB数が１の場合（RIV＝21〜25）及び割当対象のPRB数が５の場合（RIV＝31）には、全ての割当パターンが網羅されている。また、割当対象のPRB数が2の場合（RIV＝26〜28）には、Localized割当及びDistributed割当の両方が含まれている。割当対象のPRB数が3,4の場合（RIV＝29〜30）には、Localized割当に限定されている。
【００９２】
更に、図１０に示すsame subframe schedulingにおいて、割当対象のPRB数が2,3,4の場合（RIV＝26〜30）、以下の特徴を含む。
【００９３】
（１）PRB数2のRIV＝26,27では、RBGサイズが2の場合のRBG単位の割り当てと同じ割り当てができる。
【００９４】
（２）PRB数3のRIV＝29では、RBGサイズが3の場合のRBG単位の割り当てと同じ割り当てができる。
【００９５】
（３）PRB数4のRIV＝30では、RBGサイズが4の場合のRBG単位の割り当てと同じ割り当てがあれば、同じ割り当てができる。図１０では、RBG sizeが4のRBGがPRB#0〜＃4で構成され、PRB#3にMPDCCHが配置されているので、RIV＝30においてRBGサイズが4の場合のRBG単位の割り当てと同一の割り当てはできない。
【００９６】
このように、本実施の形態によれば、基地局１００は、端末２００に対して、MTC端末向けのDLリソース割当用制御信号が配置されるMPDCCHとDLデータが配置されるPDSCHとが同一のサブフレームに配置される場合のリソース割当と、異なるサブフレームに配置される場合のリソース割当とを、５ビットのRIVが採る値によって通知する。換言すると、基地局１００から端末２００に対して、５ビットのRIVによってPDSCHのリソース割当が通知されるとともに、MPDCCHとPDSCHとが同一のサブフレームに配置されるか、異なるサブフレームに配置されるかがimplicitに通知される。これにより、端末２００は、基地局１００から受け取ったRIVの値から、MPDCCHとPDSCHとが同一サブフレームで送信されているか否かを特定するとともに、PDSCHが割り当てられたリソース（PRB）を特定する。こうすることで、MPDCCHとPDSCHとが同一サブフレームで送信されているか否かのみを通知するための制御情報が不要となるので、MTC用DCIのビット数を削減することができる。
【００９７】
なお、MPDCCHとPDSCHとが同一サブフレームに配置される場合（same subframe scheduling）のリソース割当方法は図１０に示す割当パターンに限定されない。また、MPDCCHが配置されるPRB数は１つに限定されず、２つ以上であってもよい。
【００９８】
以下では、MPDCCHとPDSCHとが同一サブフレームに配置される場合の他の割当パターンの一例として、図１１〜図１３に示す割当パターンについて説明する。
【００９９】
（バリエーション１）
図１１は、MPDCCHがPRB#5に配置される例である。図１１ではMPDCCHの配置が、RBGサイズが4の場合のRBGの配置（つまり、PRB#0〜PRB#3）と重ならない。よって、図１１では、割当対象のPRB数が4の場合のリソース割当は、RIV＝30においてRBGサイズが４の場合のRBG単位の割り当てと同じ割り当てができる。
【０１００】
（バリエーション２）
図１２及び図１３は、DLリソース割当用制御信号を含むMPDCCHが２つのPRBに配置される例である。図１２では、PRB#0及びPRB#3にMPDCCHが配置され、図１２では、PRB#4及びPRB#5にMPDCCHが配置される。この場合、RIV＝21〜31では、MPDCCHが配置される２つのPRBがPDSCHのリソース割当から除外される。
【０１０１】
図１２及び図１３に示すPRB数が2,3の場合（RIV＝25〜30）、以下の特徴を含む。
【０１０２】
（１）割当対象のPRB数が1（RIV＝21〜24）、4（RIV＝31）の場合には、全ての割当パターンが網羅されている。
【０１０３】
（２）PRB数2のRIV＝27では、RBGサイズが2の場合のRBG単位の割り当てと同じ割り当てができる。
【０１０４】
（３）PRB数2のRIV＝25,27、又は、RIV＝26,28の各々の組み合わせでは、割り当てられるPRBが重複しないので、同時に割り当てできる。
【０１０５】
（４）PRB数3では、RBGサイズが3の場合のRBG単位の割り当てと同じ割り当てがあれば、同じ割り当てができる。図１２では、RBGサイズが3のRBGがPRB#0〜＃2又はPRB#3〜#5で構成され、PRB#0、PRB#3にMPDCCHが配置されているので、何れのRIVにおいてもRBGサイズが3の場合のRBG単位の割り当てと同一の割り当てはできない。一方、図１３では、RBGサイズが3のRBGがPRB#0〜＃2又はPRB#3〜#5で構成され、PRB#4、PRB#5にMPDCCHが配置されているので、RIV=29においてRBGサイズが3の場合のRBG単位の割り当てと同一の割り当てができる。
【０１０６】
（バリエーション３）
上記実施の形態では、MTC端末用のPDSCHとMPDCCHとが異なるサブフレームに配置される場合、Type2 Localized割当（図１０を参照）を使用する例を示した。しかし、MTC端末用のPDSCHとMPDCCHとが異なるサブフレームに配置される場合のPDSCHに対するリソース割当はType2 Locaized割当に限定さず、Narrowband内の6PRBsを割当対象とした他の割当方法が定義されてもよい。
【０１０７】
Type2 Localized割当では、連続するPRBのみが割り当てられていたが、新たな割当方法としては、連続しないPRBが割り当てられてもよい。
【０１０８】
図１４は、MTC端末用のPDSCHとMPDCCHとが異なるサブフレームに配置される場合に使用されるリソース割当の一例を示す。図１４に示す割当方法では、帯域幅を6PRBsに特化したリソース割当を定義することにより、RIV＝0〜31の全てを使用して、柔軟なリソース割当が可能となる。
【０１０９】
具体的には、図１４に示すPRB数（図５に示すL_CRBに相当）が1,6の場合は、全ての割当パターンを網羅している。一方、図１４に示すPRB数が2，3，4の場合は、全ての割当パターンは網羅されていないが、Localized割当及びDistributed割当の両方が含まれている。
【０１１０】
また、図１４に示すリソース割当は下記の特徴を含んでいる。
【０１１１】
（１）PRB数2のRIV＝6〜8，PRB数3のRIV＝11，12，PRB数3のRIV＝13,14では、それぞれ同時に割り当てることができるように重複しないPRBで構成されている。
【０１１２】
（２）PRB数2のRIV＝6〜8では、RBGサイズが2の場合のRBG単位の割り当てと同じ割り当てができる。
【０１１３】
（３）PRB数3のRIV＝11,12では、RBGサイズが3の場合のRBG単位の割り当てと同じ割り当てができる。
【０１１４】
（４）PRB数4のRIV＝15,16では、RBGサイズが4の場合のRBG単位の割り当てと同じ割り当てができる。
【０１１５】
（５）PRB数2のRIV＝9とPRB数4のRIV＝17の組み合わせ、PRB数2のRIV＝10とPRB数4のRIV＝18の組み合わせでは、それぞれ同時に割り当てることができるように重複しないPRBで構成されている。また、これらのRIVの組み合わせでは、それぞれの割り当ての端の間隔が4PRBsになっており、周波数ダイバーシチ効果が高い割り当てになっている。
【０１１６】
（６）PRB数5のRIV＝19では、Narrowbandの6PRBsのうち、1PRBを除く5PRBが割り当てられる。この割り当てられない1PRBは、図１４に示すPRB#5に限定されるものではなく、例えば、C-RNTI（端末（UE）のID）及びサブフレーム番号から一意に決まるようにしてもよい。
【０１１７】
（実施の形態３）
実施の形態１，２では、RIVのビット数が５ビットの場合について説明した。これに対して、本実施の形態では、DLリソース割当用制御信号に含まれるビット数を削減するために、Narrowband内のリソース割当に必要とするビット数を更に削減する場合について説明する。ビット数削減により、MTC端末ではDLリソース割当用制御信号の受信に必要となる受信電力が減少し、セルカバレッジを拡大できる。
【０１１８】
なお、本実施の形態に係る基地局及び端末は、実施の形態１に係る基地局１００及び端末２００と基本構成が共通するので、図３及び図４を援用して説明する。
【０１１９】
以下、Narrowband内のPDSCHに対するリソース割当に要するビット数（RIVのビット数）が４ビットの場合（動作例１−１，１−２）及び３ビットの場合（動作例２−１，２−２）についてそれぞれ説明する。
【０１２０】
また、実施の形態１，２と同様、Narrowbandを6PRBとする。
【０１２１】
［動作例１−１：ビット数４。cross subframe schedulingの場合］
MPDCCHとPDSCHとが異なるサブフレームに割り当てられる場合（cross subframe scheduling）、４ビットでは6PRBに対して全ての割当パターンを網羅できないので、リソースの割当パターンは限定される。
【０１２２】
図１５は、MPDCCHとPDSCHとが異なるサブフレームに割り当てられる場合のRIVとPDSCHに対するリソース割当との関係の一例を示す。図１５に示す割当パターンは、Localized割当を重視した割当パターンである。
【０１２３】
図１５に示すリソース割当は下記の特徴を含んでいる。
【０１２４】
（１）PRB数が１の場合（RIV＝0〜5）及びPRB数が６の場合（RIV＝15）には、全ての割当パターンが網羅されている。
【０１２５】
（２）PRB数2のRIV＝6〜8，PRB数3のRIV＝9,10では、それぞれ同時に割り当てることができるように重複しないPRBで構成されている。
【０１２６】
（３）PRB数2のRIV＝6〜8では、RBGサイズが2の場合のRBG単位の割り当てと同じ割り当てができる。
【０１２７】
（４）PRB数3のRIV＝9,10では、RBGサイズが3の場合のRBG単位の割り当てと同じ割り当てができる。
【０１２８】
（５）PRB数4のRIV＝11,12では、RBGサイズが4の場合のRBG単位の割り当てと同じ割り当てができる。
【０１２９】
（６）PRB数5のRIV＝14では、Narrowbandの6PRBsのうち、1PRBを除く5PRBが割り当てられる。この割り当てられない1PRBは、図１４と同様、図１５に示すPRB#5に限定されるものではなく、例えば、C-RNTI（端末（UE）のID）及びサブフレーム番号から一意に決まるようにしてもよい。
【０１３０】
次に、図１６は、MPDCCHとPDSCHとが異なるサブフレームに割り当てられる場合のRIVとPDSCHに対するリソース割当との関係の他の例を示す。図１６に示す割当パターンは、Distributed割当を重視した割当パターンである。
【０１３１】
図１６に示すリソース割当は下記の特徴を含んでいる。
【０１３２】
（１）PRB数が１の場合（RIV＝0〜5）及びPRB数が６の場合（RIV＝15）には、全ての割当パターンが網羅されている。
【０１３３】
（２）PRB数2のRIV＝6〜8の組み合わせ、PRB数3のRIV＝10,11の組み合わせでは、それぞれ同時に割り当てることができるように重複しないPRBで構成されている。
【０１３４】
（３）PRB数2のRIV＝9とPRB数4のRIV＝14の組み合わせでは、それぞれ同時に割り当てることができるように重複しないPRBで構成されている。PRB数2のRIV＝9とPRB数4のRIV＝14の組み合わせでは、それぞれの割り当ての端の間隔が4PRBsになっており、周波数ダイバーシチ効果が高い割り当てになっている。すなわち、これらは、PRB数2とPRB数4の割り当てが同時に使用される場合に、周波数ダイバーシチ効果を最大にする割り当てである。
【０１３５】
［動作例１−２：ビット数４。same subframe schedulingの場合］
MPDCCHとPDSCHとが同一サブフレームに割り当てられる場合（same subframe scheduling）、MPDCCHが配置されるPRBはPDSCHのリソース割当の対象から除外される。例えば、MPDCCHが1PRBに配置される場合には、４ビットのRIVで５PRBに対するリソース割当が通知されることになる。また、例えば、MPDCCHが2PRBに配置される場合には、４ビットのRIVで４PRBに対するリソース割当が通知されることになる。ここで、４ビットのRIVで４PRBのリソース割当を通知する場合には、実施の形態１（例えば、図６を参照）のようにビットマップを使用できる。
【０１３６】
図１７は、MPDCCHとPDSCHとが同一サブフレームに割り当てられる場合のRIVとPDSCHに対するリソース割当との関係の一例を示す。図１７に示す割当パターンは、Localized割当を重視した割当パターンである。なお、図１７では、Narrowband中のPRBをPRB#0〜#5とし、PRB#3にMTC端末用のDLリソース割当用制御信号を含むMPDCCHが配置される。
【０１３７】
図１７に示すリソース割当は下記の特徴を含んでいる。
【０１３８】
（１）PRB数が１の場合（RIV＝0〜4）及びPRB数が５の場合（RIV＝15）には、全ての割当パターンが網羅されている。
【０１３９】
（２）PRB数2のRIV＝5〜8，PRB数3のRIV＝9〜11では、Localized割当が重視されている。
【０１４０】
次に、図１８は、MPDCCHとPDSCHとが同一サブフレームに割り当てられる場合のRIVとPDSCHに対するリソース割当との関係の他の例を示す。図１８に示す割当パターンは、Distributed割当を重視した割当パターンである。なお、図１８では、図１７と同様、Narrowband中のPRBをPRB#0〜#5とし、PRB#3にMTC端末用のDLリソース割当用制御信号を含むMPDCCHが配置される。
【０１４１】
図１８に示すリソース割当は下記の特徴を含んでいる。
【０１４２】
（１）PRB数が１の場合（RIV＝0〜4）及びPRB数が５の場合（RIV＝15）には、全ての割当パターンが網羅されている。
【０１４３】
（２）PRB数2のRIV＝5〜8，PRB数3のRIV＝9〜11では、Distributed割当が重視されている。
【０１４４】
（３）PRB数2のRIV＝6とPRB数3のRIV＝10の組み合わせ、及び、PRB数2のRIV＝7とPRB数3のRIV＝11の組み合わせでは、それぞれ同時に割り当てることができるように重複しないPRBで構成されている。また、これらの組み合わせでは、MPDCCHが配置されるPRBに応じて、それぞれの割り当ての端の間隔が4PRBs又は3PRBsになり、周波数ダイバーシチ効果が高い割り当てになっている。すなわち、これらは、PRB数2とPRB数3の割り当てが同時に使用される場合に、周波数ダイバーシチ効果を最大にする割り当てである。
【０１４５】
［動作例２−１：ビット数３。cross subframe schedulingの場合］
MPDCCHとPDSCHとが異なるサブフレームに割り当てられる場合（cross subframe scheduling）、３ビットでは6PRBに対して全ての割当パターンを網羅できないので、リソースの割当パターンは限定される。
【０１４６】
図１９は、MPDCCHとPDSCHとが異なるサブフレームに割り当てられる場合のRIVとPDSCHに対するリソース割当との関係の一例を示す。図１９に示す割当パターンは、Localized割当を重視した割当パターンである。
【０１４７】
図１９に示すリソース割当は下記の特徴を含んでいる。
【０１４８】
（１）PRB数が１,2,3の割り当て（RIV＝0〜5）としては、各PRB数に対して２つの割り当てが含まれ、同一PRB数の割り当てでは、それぞれ同時に割り当てることができるように重複しないPRBで構成されている。
【０１４９】
（２）PRB数1のRIV＝0,1では、Narrowbandの6PRBsのうち、割り当てられる1PRBは、PRB#0、PRB＃4に限定されず、例えば、C-RNTI（端末（UE）のID）及びサブフレーム番号から一意に決まるようにしてもよい。
【０１５０】
（３）PRB数2のRIV＝2,3では、RBGサイズが2の場合のRBG単位の割り当てと同じ割り当てができる。
【０１５１】
（４）PRB数3のRIV＝4,5では、RBGサイズが3の場合のRBG単位の割り当てと同じ割り当てができる。
【０１５２】
（５）PRB数4のRIV＝6では、RBGサイズが4の場合のRBG単位の割り当てと同じ割り当てができる。ただし、システム帯域内のNarrowbandの配置により、Narrowband内のどのPRBがRBGに含まれるかは変わり得るので、Narrowbandの配置によって、RIV＝6でRBG単位の割り当てと同じ割り当てで割り当てられるPRBは変わる。
【０１５３】
（６）図１９に示す一例では、PRB数5の割り当ては含まれない。
【０１５４】
次に、図２０は、MPDCCHとPDSCHとが異なるサブフレームに割り当てられる場合のRIVとPDSCHに対するリソース割当との関係の他の例を示す。図２０に示す割当パターンは、Distributed割当を重視した割当パターンである。図２０では、割当対象のPRB数が２以上の場合に対応するRIV=2〜6の割当パターンが図１９に示す割当パターンと異なる。
【０１５５】
図２０に示すリソース割当は下記の特徴を含んでいる。
【０１５６】
（１）PRB数が１,2，3の割り当て（RIV＝0〜5）としては、各PRB数に対して２つの割り当てが含まれ、同一PRB数の割り当てでは、それぞれ同時に割り当てることができるように重複しないPRBで構成されている。
【０１５７】
（２）PRB数2のRIV＝2,3，PRB数3のRIV＝4,5、PRB数4のRIV＝6,7は、それぞれの割り当ての端の間隔が5PRBsになっており、周波数ダイバーシチ効果が高い割り当てになっている。特に、RIV=2とRIV＝6の組み合わせ、又は、RIV=3とRIV＝7の組み合わせでは、それぞれの割り当てが同時に使用される場合に、周波数ダイバーシチ効果を最大にする割り当てである。
【０１５８】
（３）図２０に示す一例では、PRB数5,6の割り当ては含まれない。
【０１５９】
［動作例２−２：ビット数３。same subframe schedulingの場合］
MPDCCHとPDSCHとが同一サブフレームに割り当てられる場合（same subframe scheduling）、MPDCCHが配置されるPRBはPDSCHのリソース割当の対象から除外される。例えば、MPDCCHが1PRBに配置される場合には、３ビットのRIVで５PRBに対するリソース割当が通知されることになる。また、例えば、MPDCCHが2PRBに配置される場合には、３ビットのRIVで４PRBに対するリソース割当が通知されることになる。ここで、MPDCCHが3PRB以上に配置される場合、PDSCHの割当対象となるリソースが3PRB以下となるので、３ビットのRIVでリソース割当を通知する場合には、実施の形態１のようにビットマップを使用できる。
【０１６０】
図２１及び図２２は、MPDCCHとPDSCHとが同一サブフレームに割り当てられる場合のRIVとPDSCHに対するリソース割当との関係の一例を示す。図２１及び図２２に示す割当パターンは、Localized割当を重視した割当パターンである。なお、Narrowband中のPRBをPRB#0〜#5とし、図２１ではPRB#3にMTC端末用のDLリソース割当用制御信号を含むMPDCCHが配置され、図２２ではPRB#0及びPRB#3にMTC端末用のDLリソース割当用制御信号を含むMPDCCHが配置される。
【０１６１】
図２１に示すリソース割当は下記の特徴を含んでいる。
【０１６２】
（１）PRB数1のRIV＝0,1では、Narrowbandの6PRBsのうち、割り当てられる1PRBは、PRB#0、PRB#4に限定されず、例えば、C-RNTI（端末（UE）のID）及びサブフレーム番号から一意に決まるようにしてもよい。
【０１６３】
（２）PRB数2のRIV＝2,3では、RBGサイズが2の場合のRBG単位の割り当てと同じ割り当てができる。ただし、システム帯域内のNarrowbandの配置により、Narrowband内のどのPRBがRBGに含まれるかは変わり得るので、Narrowbandの配置によって、RIV＝2,3でRBG単位の割り当てと同じ割り当てで割り当てられるPRBは変わる。
【０１６４】
（３）PRB数3のRIV＝4,5では、Narrowbandの下端又は上端（PRB#0、PRB#5）から3PRBがそれぞれ割り当てられている。
【０１６５】
（４）PRB数4のRIV＝6では、RBGサイズが4の場合のRBG単位の割り当てと同じ割り当てができる。ただし、システム帯域内のNarrowbandの配置により、Narrowband内のどのPRBがRBGに含まれるかは変わり得るので、Narrowbandの配置によって、RIV＝6でRBG単位の割り当てと同じ割り当てで割り当てられるPRBは変わる。ただし、MPDCCHの配置によってはRBG単位の割り当てと同じ割り当てができない場合もある。図２１は、RBG単位の割り当てと同じ割り当てができない例を示す。この場合、Narrowbandの下端又は上端（PRB#0、PRB#5）から4PRBが割り当てられる（図２１では下端のPRB#0から4PRBが割り当てられている）。
【０１６６】
図２２に示すリソース割当は下記の特徴を含んでいる。
【０１６７】
（１）PRB数が１の場合（RIV＝0〜3）には、全ての割当パターンが網羅されている。
【０１６８】
（２）PRB数2のRIV＝4,5では、Narrowbandの下端又は上端（PRB#1、PRB#5）から2PRBがそれぞれ割り当てられている。
【０１６９】
（３）PRB数3のRIV＝6では、RBGサイズが3の場合のRBG単位の割り当てと同じ割り当てができる。ただし、システム帯域内のNarrowbandの配置により、Narrowband内のどのPRBがRBGに含まれるかは変わり得るので、Narrowbandの配置によって、RIV＝6でRBG単位の割り当てと同じ割り当てで割り当てられるPRBは変わる。ただし、MPDCCHの配置によってはRBG単位の割り当てと同じ割り当てができない場合もある。図２２は、RBG単位の割り当てと同じ割り当てができない例を示す。また、RBGサイズが4の場合、MPDCCHが配置されるPRBとPDSCHが配置されるPRBとを合わせてRBG単位の割り当てと同じ割り当てが行われてもよい。
【０１７０】
次に、図２３及び図２４は、MPDCCHとPDSCHとが同一サブフレームに割り当てられる場合のRIVとPDSCHに対するリソース割当との関係の一例を示す。図２３及び図２４に示す割当パターンは、Distributed割当を重視した割当パターンである。なお、Narrowband中のPRBをPRB#0〜#5とし、図２３ではPRB#3にMTC端末用のDLリソース割当用制御信号を含むMPDCCHが配置され、図２４ではPRB#0及びPRB#3にMTC端末用のDLリソース割当用制御信号を含むMPDCCHが配置される。
【０１７１】
図２３に示すリソース割当は下記の特徴を含んでいる。
【０１７２】
（１）PRB数1のRIV＝0,1では、Narrowbandの6PRBsのうち、割り当てられる1PRBは、PRB#3に限定されず、例えば、C-RNTI（端末（UE）のID）及びサブフレーム番号から一意に決まるようにしてもよい。
【０１７３】
（２）PRB数2のRIV＝2とPRB数3のRIV＝4の組み合わせ、及び、PRB数2のRIV＝3とPRB数3のRIV＝5の組み合わせでは、それぞれ同時に割り当てることができるように重複しないPRBで構成されている。また、これらの組み合わせでは、MPDCCHが配置されるPRBに応じて、それぞれの割り当ての端の間隔が5PRBsになり、周波数ダイバーシチ効果が高い割り当てになっている。すなわち、これらは、PRB数2とPRB数3の割り当てが同時に使用される場合に、周波数ダイバーシチ効果を最大にする割り当てである。
【０１７４】
（３）PRB数4のRIV＝6では、Narrowband内のPDSCHに割り当て可能な5PRBsのうち、1PRBを除く4PRBが割り当てられる。この割り当てられない1PRBは、図２３に示すPRB#4に限定されるものではなく、例えば、C-RNTI（端末（UE）のID）及びサブフレーム番号から一意に決まるようにしてもよい。
【０１７５】
次に、図２４に示すリソース割当は下記の特徴を含んでいる。
【０１７６】
（１）PRB数が１の場合（RIV＝0〜3）には、全ての割当パターンが網羅されている。
【０１７７】
（２）PRB数2のRIV＝4,5では、それぞれ同時に割り当てることができるように重複しないPRBで構成され、周波数ダイバーシチ効果を最大にする割り当てである。
【０１７８】
（３）PRB数3のRIV＝6では、Narrowband内のPDSCHに割り当て可能な4PRBsのうち、1PRBを除く3PRBが割り当てられる。この割り当てられない1PRBは、図２４に示すPRB#2に限定されるものではなく、例えば、C-RNTI（端末（UE）のID）及びサブフレーム番号から一意に決まるようにしてもよい。
【０１７９】
以上、Narrowband内のリソース割当に要するビット数（RIVのビット数）が４ビットの場合及び３ビットの場合について説明した。
【０１８０】
このように、本実施の形態では、DLリソース割当用制御信号に含まれるビット数が削減される場合でも、実施の形態１又は２と同様、基地局１００は、端末２００に対して、RIVを用いて、MPDCCHとPDSCHとが同一サブフレームに配置されるケースと、異なるサブフレームに配置されるケースとにそれぞれ適したリソース割当を通知することができる。
【０１８１】
また、本実施の形態によれば、実施の形態１，２と比較して、Narrowband内のリソース割当に必要とするビット数削減により、端末２００ではDLリソース割当用制御信号の受信に必要となる受信電力が減少し、セルカバレッジを拡大できる。
【０１８２】
（実施の形態４）
本実施の形態に係る基地局及び端末は、実施の形態１に係る基地局１００及び端末２００と基本構成が共通するので、図３及び図４を援用して説明する。
【０１８３】
本実施の形態では、DLリソース割当用制御信号が配置されるMPDCCHのサブフレームと、当該DLリソース割当用制御信号によって割り当てられるDLデータ(PDSCH)が配置されるサブフレームとが同一であるか、異なるかを示す１ビットの制御情報がDCIに含まれ、基地局１００から端末２００へ送信される。
【０１８４】
また、本実施の形態ではNarrowbandを6PRBとする。
【０１８５】
また、本実施の形態では、MPDCCHとPDSCHとが異なるサブフレームに配置される場合（cross subframe scheduling）及びMPDCCHとPDSCHとが同一サブフレームに配置される場合（same subframe scheduling）の双方において、ビットマップによるPDSCHのリソース割当が行われる。
【０１８６】
よって、PDSCHに対するリソース割当の通知に用いるRIVのビット数を、Narrowband内のPRB数と同数の６ビットとする。これにより、cross subframe schedulingにおいて全ての割当パターンを網羅できるので、リソース割当の柔軟性が向上する。
【０１８７】
一方、MPDCCHとMTC端末用PDSCHとが同一サブフレームに配置される場合、MPDCCHが配置されるPRBにはMTC端末用PDSCHは配置されないので、MPDCCHが配置されるPRBは、PDSCHの割当対象から除外される。よって、same subframe schedulingでは、MPDCCHが配置されるPRB（少なくとも１つのPRB）を除くPRBに対して、ビットマップによるリソース割当が行われる。これにより、same subframe schedulingにおいても全ての割当パターンを網羅できるので、リソース割当の柔軟性が向上する。
【０１８８】
更に、same subframe schedulingにおいて、MPDCCHが配置されるPRB数に相当するビットがPDSCHのリソース割当に不要となる。例えば、MPDCCHが1PRBに配置される場合、MTC端末用PDSCHに対して５ビットのビットマップによって全ての割当パターンを網羅できる。つまり、リソース割当の通知に用いる６ビットのうち残りの１ビットは不要となる。
【０１８９】
そこで、本実施の形態では、cross subframe schedulingにおいて使用され、same subframe schedulingにおいて不要となるビットを用いて、PDSCHのリソース割当以外の他のパラメータが通知される場合について説明する。以下では、他のパラメータとして、MPDCCHのプリコーディングとMTC端末用PDSCHのプリコーディングとが同一であるか否かを示す制御情報について説明する。
【０１９０】
MPDCCHが配置されるPRBには、複数のMTC端末向けのUL割当情報及びDL割当情報が割り当てられる場合がある。また、MPDCCHのDistributed割当では、複数のMTC端末向けの制御信号がインタリーブされ、複数のPRBに配置される。また、MPDCCHのLocalized割当であっても、MPDCCHの最小単位はPRBの4分の1であり、複数のMTC端末向けの制御信号がインタリーブされ、同一のPRBに配置されることがある。このように、PRBに複数MTC端末の制御信号が含まれる場合には、複数のMTC端末が受信しやすいようなアンテナのプリコーディングを設定することが望ましい。
【０１９１】
一方、或るMTC端末（MTC端末Aとする）用のMPDCCHが割り当てられたPRBに、他のMTC端末向けの制御信号がなく、MTC端末A用の制御信号のみが配置される場合もある。このように、PRBに単一のMTC端末の制御情報が含まれる場合には、当該MTC端末が受信しやすいようなアンテナのプリコーディングを設定することが望ましい。
【０１９２】
また、MPDCCHによって、当該MPDCCHが配置されるサブフレームと同一サブフレームのPDSCHの割り当てが指示される場合、同一MTC端末向けのMPDCCHとPDSCHとに対して同一のアンテナプリコーディングを適用することができる。こうすることで、MTC端末は、PDSCHを受信する際にPDSCHが配置されるPRBのDMRS(demodulation reference signal)に加えて、MPDCCHが配置されるPRBのDMRSを参照信号として使用でき、受信品質を向上させる「PRB bundling」を行うことができる。
【０１９３】
このように、MPDCCHに含まれる制御信号に応じてプリコーディングを適切に切り替えることにより、DMRSの受信品質を向上できるという利点がある。しかし、MTC端末は、自端末宛の制御信号のみを検出して受信し、他の端末当ての制御信号を検出せず受信しない。したがって、MTC端末は、自端末宛の制御信号が割り当てられたPRBと同一PRBに他の端末宛の制御信号が配置されているか否かを認識することができない。
【０１９４】
そこで、本実施の形態では、RIVの各ビットのうち、MPDCCHとPDSCHとが同一のサブフレームで送信される場合にPDSCHに割り当てられたリソースを示すビット以外の残りのビットは、当該サブフレームにおいてMPDCCHとPDSCHとに同一のプリコーディングが適用されるか否かを示す。
【０１９５】
基地局１００は、予め定められたリソース割当ビット（RIV）のうち、MPDCCHとMTC端末用PDSCHとを同一サブフレームに割り当てる場合にリソースの割り当てに不要となるビットを用いて、MPDCCHのプリコーディングとMTC端末用PDSCHのプリコーディングとが同一であるか否かを通知する。端末２００（MTC端末）は、MPDCCHのプリコーディングとMTC端末用PDSCHのプリコーディングとが同一である通知を受けると、制御信号を検出したMPDCCHのDMRSをPDSCHの復調に使用する。これにより、MTC端末での復調精度を向上できる。
【０１９６】
図２５は、MPDCCHのプリコーディングとMTC端末用PDSCHのプリコーディングとが同一であると通知される場合の動作例を示す。なお、図２５では、MTC端末A（MTC UE A）及びMTC端末B（MTC UE B）の２つのMTC端末について一例として説明する。
【０１９７】
図２５に示すCase Aでは、MTC端末A用のDLリソース割当用制御信号（MPDCCH）がPRB#3で検出され、PRB#4,PRB#5にMTC端末A用のPDSCHが割り当てられている。この場合、MTC端末Aは、基地局１００からの通知によって、PRB#3,4,5のプリコーディングが同一であると認識する。すなわち、MTC端末Aは、PRB#3,4,5に対してPRB bundlingを行う。
【０１９８】
図２５に示すCase Bでは、MTC端末A用のDLリソース割当用制御信号（MPDCCH）がPRB#0とPRB#3で検出され、PRB#4,PRB#5にMTC端末A用のPDSCHが割り当てられている。この場合、MTC端末Aは、PRB#0とPRB#3，4，5は離れているが、基地局１００からの通知によって、PRB#0,3,4,5のプリコーディングが同一であると認識する。すなわち、MTC端末Aは、PRB#0,3,4,5に対してPRB bundlingを行う。
【０１９９】
図２５に示すCase Cでは、MTC端末A用の割り当てはCase Aと同様であり、同一Narrowband内で、MTC端末B用のDLリソース割当用制御信号（MPDCCH）がPRB#0で検出され、PRB#1,PRB#2にMTC端末B用のPDSCHが割り当てられている。この場合、MTC端末Bは、基地局１００からの通知によって、PRB#0,1,2のプリコーディングが同一であると認識する。すなわち、MTC端末AはPRB#3,4,5に対してPRB bundlingを行い、MTC端末Bは、PRB#0,1,2に対してPRB bundlingを行う。なお、MTC端末A及びMTC端末Bは、自端末の割り当てのみをそれぞれ検出するので、同じNarrowbandに他の端末のリソースが割り当てられていることは認識していない。
【０２００】
図２５に示すCase Dでは、MTC端末A及びMTC端末BのDL制御信号（MPDCCH）が同一PRB（PRB#0,PRB#3）にインタリーブして割り当てられており、MTC端末A用のPDSCHがPRB#5,6に割り当てられており、MTC端末B用のPDSCHがPRB#1,2に割り当てられている。このとき、MTC端末A用のプリコーディングと、MTC端末B用のプリコーディングとを異なるものにしたい場合、基地局１００は、MTC端末A及びMTC端末Bに対して、プリコーディングが異なることを通知する。一方、MTC端末A用のプリコーディングと、MTC端末B用のプリコーディングとを同じものにし、MPDCCHのDMRSをPDSCHの復調に使用させたい場合、基地局１００は、MTC端末A及びMTC端末Bに対して、プリコーディングが同一であることを通知する。
【０２０１】
例えば、MTC端末A宛の信号とMTC端末B宛の信号とが隣接していて、同一プリコーディングが適している場合、又は、指向性の高くないプリコーディングを使用する場合、基地局１００は、MTC端末AとMTC端末Bとに対して同一のプリコーディングを設定する。また、Case Dでは、MTC端末Aは、自端末がDLリソース割当用制御信号（MPDCCH）を検出したPRB#0,3、及び、PDSCHが割り当てられたPRB#4,5のプリコーディングが同一であると認識する。また、MTC端末Bは、自端末がDLリソース割当用制御信号（MPDCCH）を検出したPRB#0,3、及び、PDSCHが割り当てられたPRB#1,2のプリコーディングが同一であると認識する。すなわち、MTC端末AはPRB#0,3,4,5に対してPRB bundlingを行い、MTC端末Bは、PRB#0,1,2,3に対してPRB bundlingを行う。
【０２０２】
次に、上述した動作の流れについて説明する。図２６は、端末２００の処理の流れを示すフローチャートを示す。なお、端末２００の処理順序は、図２６に示す処理順序に限定されるものではない。
【０２０３】
図２６において、ステップ（以下、「ＳＴ」と表す）１０１では、端末２００は、自端末宛のMPDCCHを検出して、DCIに含まれるDLリソース割当用制御信号（DL assignment）を抽出する。
【０２０４】
ＳＴ１０２では、端末２００は、ＳＴ１０１で検出したMPDCCHのDCIに含まれる制御情報に基づいて、MPDCCHと端末２００用のPDSCHとが同一サブフレームに割り当てられているか、異なるサブフレームに割り当てられているかを判断する。
【０２０５】
MPDCCHとPDSCHとが異なるサブフレームに割り当てられている場合、ＳＴ１０３では、端末２００は、６ビットのビットマップに基づいて、PDSCHに対して割り当てられたリソースを特定する。ＳＴ１０４では、端末２００は、ＳＴ１０１で検出したMPDCCHが配置されたサブフレームとは異なるサブフレームのＳＴ１０３で特定したリソースにおいてPDSCH（DLデータ）を受信する。
【０２０６】
一方、MPDCCHとPDSCHとが同一サブフレームに割り当てられている場合、ＳＴ１０５では、端末２００は、５ビットのビットマップに基づいて、PDSCHに対して割り当てられたリソースを特定する。
【０２０７】
ＳＴ１０６では、端末２００は、ＳＴ１０３ではPDSCHのリソース割当に使用され、ＳＴ１０５ではPDSCHのリソース割当に使用されない１ビットに割り当てられた制御情報に基づいて、MPDCCHのプリコーディングとPDSCHのプリコーディングとが同一であるか異なるかを特定する。
【０２０８】
MPDCCHのプリコーディングとPDSCHのプリコーディングとが同一である場合、ＳＴ１０７では、端末２００は、MPDCCH及びPDSCHがそれぞれ割り当てられたPRBに対してPRB bundlingを適用する。つまり、端末２００は、ＳＴ１０１でDL assignmentを検出したMPDCCHで使用されたDMRSと、ＳＴ１０５で特定したリソースに割り当てられたPDSCHのDMRSとを合成する。ＳＴ１０８では、端末２００は、ＳＴ１０７で合成されたDMRSを用いて、同一MPDCCHが検出されたサブフレームと同一サブフレームでPDSCHを受信する。
【０２０９】
一方、MPDCCHのプリコーディングとPDSCHのプリコーディングとが異なる場合、端末２００は、PRB bundlingを適用しない（ＳＴ１０９）。つまり、ＳＴ１１０では、端末２００は、ＳＴ１０５で特定したリソースに割り当てられたPDSCHのDMRSを用いて、同一MPDCCHが検出されたサブフレームと同一サブフレームでPDSCHを受信する。
【０２１０】
このように、本実施の形態では、基地局１００は、PDCCHとMTC端末用PDSCHとを同一サブフレームに配置する場合に、PDSCHのリソースの割り当てに不要となる１ビットを用いて、MPDCCHのプリコーディングとMTC端末用PDSCHのプリコーディングとが同一であるか否かを端末２００に通知する。こうすることで、端末２００は、MPDCCHとMTC端末用PDSCHのプリコーディングを、同一にすることと異なることをサブフレーム毎に選択できる。
【０２１１】
また、MPDCCHとPDSCHとのが同一のプリコーディングを適用するか否かを通知するための制御情報は、MPDCCHとPDSCHとが同一サブフレームに配置される場合に使用されないリソース割当ビットを用いて通知される。よって、基地局１００は、新たにDCIの情報量を増やすことなく、当該制御情報を通知することができる。
【０２１２】
なお、本実施の形態では、端末２００は、MPDCCHとMTC端末用PDSCHとでプリコーディングが同一であるという通知がある場合、DLリソース割当用制御信号を検出したMPDCCHが配置されるPRBのDMRSのプリコーディング及びPDSCHのDMRSのプリコーディングが等しいと認識する場合について説明した。端末２００は、これに加えて、ULリソース割当用制御信号を検出したMPDCCHが配置されるPRBのDMRSもプリコーディングが等しいと認識してもよい。このようにすると、端末２００では、合成できるDMRSの量が増え、復調精度をさらに向上できる。
【０２１３】
また、プリコーディングの通知で、基地局１００は、Narrowband内のPRBのプリコーディングが全て同じであるか否かを通知してもよい。この場合、端末２００は、自端末宛のDLリソース割当用制御信号を検出したMPDCCHが配置されるPRBに限らず、Narrowband内の全てのPRBのプリコーディングが等しいと認識する。このようにすると、他のMTC端末に割り当てられたPRBのDMRSも復調に使用でき、復調精度をさらに向上できる。特に、基地局１００が同一のプリコーディングで送信できるMTC端末を同一Narrowbandに割り当てることができる場合に有効である。
【０２１４】
また、プリコーディングの通知では、MPDCCHのDMRSのプリコーディングとPDSCHのDMRSのプリコーディングとが同一であるか否かが通知される場合について説明したが、DMRSのプリコーディングとCRSのプリコーディングとが同一であるか否かが通知されてもよい。このようにすると、端末２００は、CRSも復調に使用でき、復調精度をさらに向上できる。
【０２１５】
また、上記実施の形態では、MPDCCHとPDSCHとが異なるサブフレームに配置される場合のPDSCHのリソース割当に６ビットを使用し、MPDCCHとPDSCHとが同じサブフレームに配置される場合のPDSCHのリソース割当に５ビットを使用し、MPDCCHとPDSCHとが同じサブフレームに配置される場合に、PDSCHのリソース割当に使用しない１ビットでプリコーディングに関する情報を通知した。しかし、ビット数はこれらに限定されるものではない。例えば、MPDCCHとPDSCHとが異なるサブフレームに配置される場合のPDSCHのリソース割当に使用されるビット数が、MPDCCHとPDSCHとが同じサブフレームに配置される場合のPDSCHのリソース割当に使用されるビット数よりも多い場合、基地局１００は、MPDCCHとPDSCHとが同じサブフレームに配置される場合のPDSCHのリソース割当に使用されないビットでプリコーディングを通知できる。
【０２１６】
また、実施の形態１〜３において説明したように、MPDCCHとPDSCHとが同一サブフレームに配置される場合、MPDCCHが割り当てられるPRB数が増えると、PDSCHのリソース割当に必要となるビット数が少なくなる。そこで、MPDCCHが割り当てられるPRB数が増え、PDSCHのリソース割当に使用しないビットが存在する場合、基地局１００は、MPDCCHとPDSCHとが同一サブフレームに配置される場合に使用しないビットでプリコーディングを通知してもよい。
【０２１７】
また、本実施の形態では、MPDCCHとMTC端末用PDSCHとを同一サブフレームに配置する場合にPDSCHのリソース割当に不要となる１ビットを用いて、MPDCCHのプリコーディングとMTC端末用PDSCHのプリコーディングが同一であるか否かを示すプリコーディング情報を通知した。これに対して、DCIにNarrowbandの割当情報が含まれる場合、Narrowband割当情報に、プリコーディング情報を含んでもよい。
【０２１８】
例えば、Narrowband割り当て情報には、以下の設定が含まれてもよい。
（１）Narrowbandの位置
（２）MPDCCHとMTC端末用PDSCHとを同一サブフレームに割り当てるか否か
（３）プリコーディングが同一であるか否か
【０２１９】
図２７は、DCIに含まれるNarrowband割当情報（Narrowband indication field in DCI）の一例を示す。図２７の一例では、Narrowband割当情報として３ビット（８パターン）がDCIに設定される。
【０２２０】
Narrowbandの位置では、DLリソース割当を検出したMPDCCHの最終subframeと同一のNarrowband（the last MPDCCH）、又は、他のNarrowband（図２７ではx,y,z,w,a,b）の何れかが指定される。ここで、最終subframeとするのは、MPDCCHが周波数ホッピングをする可能性があるからである。プリコーディングが同一であるか否かを示す情報は、同一サブフレームに割り当てる場合（Scheduled frame with MPDCCH: same subframeの場合）にのみ必要な情報である。図２７では、Narrowband indication field in DCIが“0”のときのみ、プリコーディングが同一（same）という設定になっている。
【０２２１】
このようにすると、MPDCCHとMTC端末用PDSCHとを同一サブフレームに割り当てるか否かに関わらず、プリコーディングの割当に別途１ビットを用意する必要がなく、DCI全体のビット数を削減できる。
【０２２２】
以上、本開示の各実施の形態について説明した。
【０２２３】
なお、実施の形態１〜３では、RBGサイズが2、3、4の場合、PDSCHのリソースがRBG単位で割り当てられるように、NarrowbandとRBGとの関係に応じて割り当てられるリソースを変更できる場合について説明した。その際、一部のRIVでのリソース割当をRBGに合わせてNarrowband内でCyclic shiftした割り当てに変更してもよい。
【０２２４】
また、実施の形態１〜３において、NarrowbandとRBGとの関係にかかわらず、Narrowbandのリソース割当を決定してもよい。この場合、まず、MPDCCHが配置されるPRBを除いた論理的に連続するRBにPDSCHを割り当て、そのRBを物理的に実際に使用するPRBにマッピングする。例えば、図１７に示す割り当てではPRB#3にMPDCCHが配置されており、図２８ではPRB#5にMPDCCHが配置されている。ただし、図１７と図２８とでは、論理的に連続する５つのRBに対する割り当ては共通である。
【０２２５】
また、上記実施の形態では、本開示の一態様をハードウェアで構成する場合を例にとって説明したが、本開示はハードウェアとの連携においてソフトウェアで実現することも可能である。
【０２２６】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２２７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２２８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２２９】
本開示の基地局は、MTC端末向けのPDSCH（Physical Downlink Shared Channel）のためのリソースを決定する決定部と、前記決定されたリソースを示すリソース割当ビットを含むMTC端末向けのPDCCH（Physical Downlink Control Channel）であるMPDCCHを送信し、前記決定されたリソースを用いて前記PDSCHを送信する送信部と、を具備し、前記リソース割当ビットには、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている。
【０２３０】
本開示の基地局において、前記送信部は、更に、前記MPDCCHと前記PDSCHとが同一サブフレームで送信されるか、異なるサブフレームで送信されるかを示す制御情報を送信する。
【０２３１】
本開示の基地局において、前記リソース割当ビットの同一値に対して、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている。
【０２３２】
本開示の基地局において、前記MPDCCHと前記PDSCHとが同一サブフレームで送信される場合に、前記MPDCCHが配置されたリソース以外の残りのリソースの数が前記リソース割当ビットの数以下の場合、前記リソース割当ビットは、各ビットが前記残りのリソースの各々の割当の有無を示すビットマップ型の情報である。
【０２３３】
本開示の基地局において、前記リソース割当ビットは、前記MPDCCHと前記PDSCHとが同一サブフレームで送信される場合に用いられるリソースに対応付けられたビットと、前記MPDCCHと前記PDSCHとが異なるサブフレームで送信される場合に用いられるリソースに対応付けられたビットと、を含む。
【０２３４】
本開示の基地局において、前記リソース割当ビットのビット数は、前記MPDCCHと前記PDSCHとが異なるサブフレームで送信される場合に割当対象となるリソース数と同数であり、前記リソース割当ビットのうち、前記MPDCCHと前記PDSCHとが同一のサブフレームで送信される場合に前記決定されたリソースを示すビット以外の残りのビットは、当該サブフレームにおいて前記MPDCCHと前記PDSCHとに同一のプリコーディングが適用されるか否かを示す。
【０２３５】
本開示の端末は、MTC端末向けのPDSCH（Physical Downlink Shared Channel）に対して割り当てられたリソースを示すリソース割当ビットを含むMTC端末向けのPDCCH（Physical Downlink Control Channel）であるMPDCCHを受信する受信部と、前記リソース割当ビットに示されたリソースを用いて、受信信号から前記PDSCHを分離する信号分離部と、を具備し、前記リソース割当ビットには、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている。
【０２３６】
本開示の送信方法は、MTC端末向けのPDSCH（Physical Downlink Shared Channel）のためのリソースを決定し、前記決定されたリソースを示すリソース割当ビットを含むMTC端末向けのPDCCH（Physical Downlink Control Channel）であるMPDCCHを送信し、前記決定されたリソースを用いて前記PDSCHを送信し、前記リソース割当ビットには、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている。
【０２３７】
本開示の受信方法は、MTC端末向けのPDSCH（Physical Downlink Shared Channel）に対して割り当てられたリソースを示すリソース割当ビットを含むMTC端末向けのPDCCH（Physical Downlink Control Channel）であるMPDCCHを受信し、前記リソース割当ビットに示されたリソースを用いて、受信信号から前記PDSCHを分離し、前記リソース割当ビットには、前記MPDCCHと前記PDSCHとが同一サブフレームで送信される場合に用いられるリソースと、前記MPDCCHと前記PDSCHとが異なるサブフレームで送信される場合に用いられるリソースと、が対応付けられている。
【産業上の利用可能性】
【０２３８】
本開示の一態様は、移動通信システムに有用である。
【符号の説明】
【０２３９】
１００  基地局
２００  端末
１０１  リソース割当決定部
１０２  MPDCCH生成部
１０３，２０７  誤り訂正符号化部
１０４，２０８  変調部
１０５  信号割当部
１０６，２０９  送信部
１０７，２０１  受信部
１０８，２０５  復調部
１０９，２０６  誤り訂正復号部
２０２  信号分離部
２０３  MPDCCH受信部
２０４  割当情報決定部
【図１】
2017026089.tif 000003
【図２】
2017026089.tif 000004
【図３】
2017026089.tif 000005
【図４】
2017026089.tif 000006
【図５】
2017026089.tif 000007
【図６】
2017026089.tif 000008
【図７】
2017026089.tif 000009
【図８】
2017026089.tif 000010
【図９】
2017026089.tif 000011
【図１０】
2017026089.tif 000012
【図１１】
2017026089.tif 000013
【図１２】
2017026089.tif 000014
【図１３】
2017026089.tif 000015
【図１４】
2017026089.tif 000016
【図１５】
2017026089.tif 000017
【図１６】
2017026089.tif 000018
【図１７】
2017026089.tif 000019
【図１８】
2017026089.tif 000020
【図１９】
2017026089.tif 000021
【図２０】
2017026089.tif 000022
【図２１】
2017026089.tif 000023
【図２２】
2017026089.tif 000024
【図２３】
2017026089.tif 000025
【図２４】
2017026089.tif 000026
【図２５】
2017026089.tif 000027
【図２６】
2017026089.tif 000028
【図２７】
2017026089.tif 000029
【図２８】
2017026089.tif 000030
【国際調査報告】
2017026089.tif 000031
2017026089.tif 000032
2017026089.tif 000033
2017026089.tif 000034